(57)【要約】【課題】好適なトルクリミッタを用いて、駆動力伝達装置においてトルクを逃がす部位を設ける。【解決手段】駆動力伝達装置のトルクリミッタは、第一のカム面を有し、トルクが入力される第一の回転部材（１１）と、第二のカム面を有し、前記第一の回転部材に対して同軸的に対向して設けられる第二の回転部材（１３）と、前記第一の回転部材の前記第一のカム面と前記第二の回転部材の前記第二のカム面の間に介挿された複数のボール（１５）と、第一の回転部材又は第二の回転部材を押し付けるためのバネ（１７）と、を備え、第一のカム面と第二のカム面の少なくとも一方が、軸方向に略垂直な平面に沿って延在する複数の水平部（２１）と、前記複数の水平部間に位置し前記複数の水平部に対して窪んだ複数の凹部（２２）とを備えることを特徴とする。【選択図】図５
2010133501.tif 000002
【特許請求の範囲】
【請求項１】
第一のカム面を有し、トルクが入力される第一の回転部材と、
第二のカム面を有し、前記第一の回転部材に対して同軸的に対向して設けられる第二の回転部材と、
前記第一の回転部材の前記第一のカム面と前記第二の回転部材の前記第二のカム面の間に介挿された複数のボールと、
第一の回転部材又は第二の回転部材を押し付けるためのバネと、を備え、
第一のカム面と第二のカム面の少なくとも一方が、軸方向に略垂直な平面に沿って延在する複数の水平部と、前記複数の水平部間に位置し前記複数の水平部に対して窪んだ複数の凹部とを備えることを特徴とする、駆動力伝達装置のトルクリミッタ。
【請求項２】
第一のカム溝を有し、トルクが入力される第一の回転部材と、
第二のカム溝を有し、前記第一の回転部材に対して同軸的に対向して設けられる第二の回転部材と、
前記第一の回転部材の前記第一のカム溝と前記第二の回転部材の前記第二のカム溝の間に介挿された複数のボールと、
第一の回転部材又は第二の回転部材を押し付けるためのバネと、を備え、
第一のカム溝と第二のカム溝の少なくとも一方が、軸方向に略垂直な平面に沿って延在する複数の水平部と、前記複数の水平部間に位置し前記複数の水平部より溝深さの深い複数の凹部とを備えることを特徴とする、駆動力伝達装置のトルクリミッタ。
【請求項３】
前記複数の凹部の数が、前記ボールの数より多いことを特徴とする請求項１又は２に記載のトルクリミッタ。
【請求項４】
モータからトルクが入力される駆動力伝達装置であって、
請求項１又は２に記載のトルクリミッタと、
前記モータから前記トルクリミッタを介してトルクが伝達されるクラッチと、
前記クラッチから伝達されるトルクを増幅する減速機と、を備え、
前記トルクリミッタが、前記クラッチと前記モータとの間に設けられていることを特徴とする駆動力伝達装置。
【発明の詳細な説明】
【技術分野】
【０００１】
本発明は、トルクリミッタ及び駆動力伝達装置に関する。
【背景技術】
【０００２】
従来、駆動力伝達装置において、断続機構にワンウェイクラッチを使用したものがある（特許文献１、２参照）。この駆動力伝達装置は、車両の駆動状態に応じて、搭載した電動モータからのトルクを断続機構において断続してトルクの伝達経路を変える。
【特許文献１】特開２００７−７１３８２号公報
【特許文献２】特開２００８−３２１６３号公報
【発明の開示】
【発明が解決しようとする課題】
【０００３】
しかし、従来の駆動力伝達装置は、車両の走行中に急減速もしくは、サイドブレーキを引くと、トルクを逃がす部位が無いため問題となる。また、トルクを逃がす部位としてトルクリミッタを設けることが考えられるが、従来のトルクリミッタでは、カム半径に対する、カム面の傾斜角やカム溝数の影響が大きく、カムの回転部材と回転部材を押圧する皿バネの設計の自由度が低い。このため、駆動力伝達装置の大きさや設置個所の広さに応じてカム半径を変えた場合に、カム面の傾斜角、カム溝数や皿バネの荷重等も設計し直す必要が生じる。
【０００４】
本発明は、このような従来の問題点に着目してなされたものであり、好適なトルクリミッタを用いて、駆動力伝達装置においてトルクを逃がす部位を提供することを目的とする。
【課題を解決するための手段】
【０００５】
駆動力伝達装置のトルクリミッタは、第一のカム面を有し、トルクが入力される第一の回転部材と、第二のカム面を有し、前記第一の回転部材に対して同軸的に対向して設けられる第二の回転部材と、前記第一の回転部材の前記第一のカム面と前記第二の回転部材の前記第二のカム面の間に介挿された複数のボールと、第一の回転部材又は第二の回転部材を押し付けるためのバネと、を備え、第一のカム面と第二のカム面の少なくとも一方が、軸方向に略垂直な平面に沿って延在する複数の水平部と、前記複数の水平部間に位置し前記複数の水平部に対して窪んだ複数の凹部とを備えることを特徴とする。
【発明の効果】
【０００６】
ボールの凹部への落込み深さを大きくすること無く、水平部の長さを調整して凹部の傾斜角を大きく取ることができ、カム推力を小さくできる。カムへの入力トルクに対し、カム推力を小さくできるので、バネ荷重も小さくでき、バネを小型化できる。また、ボールの数を減らすこと、もしくは、ボール径を下げることができる。さらに、水平部の長さを調整することにより、凹部の傾斜角、凹部の数に影響されること無く、カム半径、ボール径の設計自由度が増える。
【発明を実施するための最良の形態】
【０００７】
以下では図面等を参照して本発明を実施するための最良の形態について説明する。
【０００８】
＜第１実施形態＞
本発明の第１実施形態に係る駆動力伝達装置を説明する。この駆動力伝達装置は、例えば、図１のような車両に用いられる。
【０００９】
図１は、駆動力伝達装置１を備えた電動モータ式４輪駆動車両を示す。この車両において、主動力源としてのエンジン２からの駆動力（トルク）は、トランスアクスル３とドライブシャフト４を介して、左右前輪５へ伝達される。副動力源としての電動モータ６からの駆動力は、減速機７を有する駆動力伝達装置１、およびドライブシャフト８を介して左右後輪９に伝達される。電動モータ６は、車両の前進４輪駆動走行時において、正方向に回転し、車両の後退４輪駆動走行時において、逆方向に回転し、車両の前進２輪駆動走行時において、停止する。
【００１０】
図２を参照すると、駆動力伝達装置１は、トルクリミッタ１０と、伝達経路切換装置３０、減速機７を有し、これらは、ケーシング７０内に収納される。カム式のトルクリミッタ１０には、電動モータ６からトルクが入力される。トルクリミッタ１０は、電動モータ６と伝達経路切換装置３０のワンウェイクラッチ３１、３２の間に設けられる。トルクリミッタ１０からの出力トルクは、伝達経路切換装置３０を介して、ディファレンシャルギヤ装置５０等から構成される減速機７に伝達される。
【００１１】
電動モータ６からの入力トルクが制限値未満では、トルクリミッタ１０は非作動状態であり、トルクリミッタ１０を介して伝達経路切換装置３０のワンウェイクラッチ３１、３２にトルクが伝達される。この場合、トルクリミッタ１０の第一の回転部材１１と第二の回転部材１３は同じ回転速度で回転している。電動モータ６からの入力トルクが制限値以上になると、トルクリミッタ１０は作動して、伝達経路切換装置３０のワンウェイクラッチ３１、３２にトルクが伝達されることを防止する。この場合、第一の回転部材１１と第二の回転部材１３が互いに相対的に回転している。
【００１２】
前進ワンウェイクラッチ３１は、内輪３１ａと、外輪３１ｂと、これら内外輪間に介在させたスプラグ３１ｃとよりなる。後退ワンウェイクラッチ３２は、内輪３２ａと、外輪３２ｂと、これら内外輪間に介在させたスプラグ３２ｃとよりなる。なお、前進ワンウェイクラッチ３１の外輪３１ｂと後退ワンウェイクラッチ３２の外輪３２ｂは、一体的に形成されている。前進ワンウェイクラッチ３１は、トルクリミッタ１０から外輪３１ｂ、３２ｂへ入力されるトルクが前進方向（正方向）のものである場合にロック（係合）状態となって、この前進方向の（正方向）トルクを内輪３１ａへ伝達する。また、後退ワンウェイクラッチ３２は、トルクリミッタ１０から外輪３１ｂ、３２ｂへ入力されるトルクが後退方向（逆方向）のものである場合にロック状態となって、この後退方向（逆方向）の駆動力を内輪３２ａへ伝達する。
【００１３】
車両の前進４輪駆動走行時において、前進ワンウェイクラッチ３１は係合する。この時、電動モータ６からのトルクが、前進ワンウェイクラッチ３１、伝達経路切換装置３０の出力軸３５、ディファレンシャルギヤ装置５０を介して左右後輪９を前進方向へ回転させる。車両の前進２輪駆動時において、電動モータ６は停止し、前進ワンウェイクラッチ３１は非係合であるため、左右後輪９の前進方向への回転は出力軸３５、ディファレンシャルギヤ装置５０を介して内輪３１aに伝達されるが、内輪３１aは外輪３１ｂに対して空転する。又、車両の前進２輪駆動時において、トルクカム機構３３は、非係合であり、左右後輪９の前進方向への回転は後退ワンウェイクラッチ３２の内輪３２ａに伝達されない。車両の後退4輪駆動時において、後退ワンウェイクラッチ３２は係合する。この時、電動モータ６からのトルクが、後退ワンウェイクラッチ３２、係合状態のトルクカム機構３３、出力軸３５、ディファレンシャルギヤ装置５０を介して左右後輪９を後退方向へ回転させる。
【００１４】
トルクリミッタ１０から伝達経路切換装置３０にトルクが伝達されるとき、及び、伝達経路切換装置３０からディファレンシャルギヤ装置５０にトルクが伝達されるとき、トルクは増幅される。トルクリミッタ１０の出力軸１９に設けられた出力歯車と、前進／後進ワンウェイクラッチ３１、３２の外輪歯車の歯数比に応じて、トルクが増幅される。トルクは、伝達経路切換装置３０の出力軸３５に設けられた出力歯車３７からディファレンシャルギヤ装置５０のリングギア３９に伝達される。減速機７は、ディファレンシャルギヤ装置５０のリングギア３９と伝達経路切換装置３０の出力歯車３７も含み、これらの歯数比に応じて、トルクが増幅される。トルクリミッタ１０が、トルクが増幅されて大きくなる前段階の位置、即ち前進／後進ワンウェイクラッチ３１、３２と電動モータ６との間に設けられているため、トルクリミッタ１０の入力トルク制限値を小さくすることができ、トルクリミッタ１０のカム半径や皿バネ１７の荷重を小さくできる。即ち、トルクリミッタ１０を小型化できる。
【００１５】
なお、伝達経路切換装置３０とディファレンシャルギヤ装置５０の詳細は、特許文献２に記載されているため説明を省略する。
【００１６】
図３を参照して、トルクリミッタ１０を詳細に説明する。図３にトルクリミッタ１０の部分拡大図を示す。
【００１７】
トルクリミッタ１０は、第一の回転部材（入力側回転部材）１１と、第二の回転部材（出力側回転部材）１３、複数のボール１５と、皿バネ１７と、出力軸１９を具備する。第一の回転部材１１は、電動モータ６に結合されトルクが入力される入力軸として機能する。第一の回転部材１１と出力軸１９は、軸受によりケーシング７０に回転自在に支持される。第二の回転部材１３は、第一の回転部材１１に対して同軸的に対向して設けられ、第一の回転部材１１と第二の回転部材１３は、略同一の回転軸の周りで回転する。通常、この回転軸は、回転部材の軸１６にも一致する。第一の回転部材１１の端面２８には、第一のカム溝（入力側カム溝）１２が設けられ、第二の回転部材１１の端面２９には、第二のカム溝（出力側カム溝）１４が設けられる。
【００１８】
第一の回転部材１１の第一のカム溝１２と第二の回転部材１３の第二のカム溝１４の間には、複数の球状のボール１５が介挿される。ここで、ボール１５が通過する第一の回転部材１１の表面を第一のカム面と称し、ボール１５が通過する第二の回転部材１３の表面を第二のカム面と称する。第一と第二のカム溝１２、１４と複数のボール１５が、カム機構を構成する。なお、必要に応じて、ボール１５のカム機構からの脱落を防止するよう複数のボール１５を穴部に保持する保持器を第一の回転部材１１の端面２８と第二の回転部材１１の端面２９の間に設けてもよい。保持器は、リング状の形状を有し、第一の回転部材１１と第二の回転部材１１と同軸に配置され、ボール１５間の距離を一定に保つようにボール１５を保持するものである。
【００１９】
トルクリミッタ１０の出力軸１９は、第一と第二の回転部材１１、１３に対して同軸的に設けられ、第一と第二の回転部材１１、１３を介して伝達されたトルクを伝達経路切換装置３０側に出力する。リング状の第二の回転部材１３の内周面は、歯が付けられ、出力軸１９とスプライン結合する。従って、第二の回転部材１３は出力軸１９に対して軸方向に摺動可能である。リング状の皿バネ１７には、出力軸１９の先端部が貫通する。皿バネ１７は、第二の回転部材１３と出力軸１９の袴部２０との間に介挿され、第二の回転部材１３をボール１５側に押し付ける。出力軸１９からのトルクは、伝達経路切換装置３０の前進ワンウェイクラッチ３１又は後進ワンウェイクラッチ３２に入力され、伝達経路切換装置３０からディファレンシャルギヤ装置５０に伝達される。
【００２０】
次に、図４、図５を参照して、カム溝又はカム面の形状について説明する。図４は、第一又は第二の回転部材１１、１３の概略端面図を示す。図５は、カム溝の半径方向内の底部を通る断面（図４の一点鎖線）での、カム機構の円周方向の断面図を示す。ここでは、第一の回転部材１１の第一のカム溝１２と第二の回転部材１３の第二のカム溝１４は、同形とする。
【００２１】
通常、第一と第二のカム溝１２、１４は、図６に示す形状であるが、本実施形態では、水平部２１をもった図５に示す形状としている。第一と第二のカム溝１２、１４（又は第一と第二のカム面）は、それぞれ、軸１６の方向に略垂直な平面に沿って延在する複数の水平部２１、及び、複数の水平部２１間に位置する複数の凹部２２を備える。本実施形態では、複数の水平部２１は、軸１６に対して略円周方向に沿って延在している。凹部２２は、水平部２１より溝深さｄが深く、水平部２１対して窪んでいる。第一と第二のカム溝１２、１４の半径方向の断面は、簡単のため矩形として説明するが、Ｕ字形状、円弧状等の他の形状であってもよい。本実施形態では、凹部２２は、対向する２つの傾斜部２３から構成される。傾斜部２３は、円周方向に対する傾斜角（カム角）としてゼロでない角度θを有する。このため、凹部２２の最深部に向かって、溝深さｄが増加する。
【００２２】
電動モータ６からトルクリミッタ１０へ入力される入力トルクが制限値未満では、トルクリミッタ１０は非作動状態である。この時、皿バネ１７の荷重により、各ボール１５は凹部２２内で軸方向の最下位置で固定されており、第一の回転部材１１と第二の回転部材１３は同じ回転速度で回転し、第一の回転部材１１から第二の回転部材１３へトルクが伝達される。電動モータ６からの入力トルクが制限値以上になると、トルクリミッタ１０は作動状態になる。この時、各ボール１５は、凹部２２内で最下位置から凹部２２の外部に向かって傾斜部２３を転動して移動する。このため、第一の回転部材１１と第二の回転部材１３が互いに相対的に回転し、第一の回転部材１１から第二の回転部材１３へトルクが伝達されなくなる。
【００２３】
図７を参照して、トルクリミッタ１０が作動する条件を説明する。図７は、カム機構の釣り合いを示す。トルクリミッタ１０への作動開始時の入力トルクをT1、カム半径をLc、カム溝のカム角をθ、皿バネ初期荷重をFsとすると、トルクリミッタ１０の作動開始時には、下記の数式（１）の条件を満たす必要がある。
【００２４】
T1/（Lc×tanθ）＞ Fs  ・・・・・・（１）
【００２５】
なお、カム半径とは、第一の回転部材１１又は第二の回転部材１３において、その軸１６からボール１５の中心（又は、カム溝の半径方向の中心）までの距離である。また、式（１）の左辺は、カム機構の推力（スラスト荷重）を表す。
【００２６】
トルクリミッタ１０への最大作動時の入力トルクをT2、ボールの落込み深さをh、皿バネ許容撓み最大値をt、皿バネ最大撓み時の皿バネ荷重をFs_maxとすると、トルクリミッタ最大作動時（ボール１５が凹部２２を越える時）には、下記の数式（２）（３）の条件を満たす必要がある。
【００２７】
ｔ≧2×h  ・・・・・・（２）
【００２８】
T2/（Lc×tanθ）≦Fs_max  ・・・・・・（３）
【００２９】
ここで、ボールの落込み深さｈとは、ボール１５が凹部内で最下位置にある時のボール１５の軸方向最下表面と、カム溝の水平部２１における底部との間の距離である。
【００３０】
カム溝形状を図５の形状にして水平部２１を設けることで、ボールの落込み深さｈを維持して大きくすること無く、カム角θを大きく取ることができる。従って、カム機構への入力トルクに対し、カム推力を小さくできるので、皿バネ荷重も小さくでき、皿バネを小型化できる。また、凹部やボールの数を減らすこと、もしくは、ボール径を下げることができる。更に凹部の数もしくは、ボール数が減ることで、トルクリミッタ最大作動時にボールが、カム山（水平部）を乗り越える数が減るので、振動、騒音を低減できる。また、カム溝に水平部を持つことで、カム角、凹部の数に影響されること無く、カム半径、ボール径の設計自由度が増える。
【００３１】
なお、上記において、第一のカム溝１２と第二のカム溝１４は、同形であるが、これに限定されるものではなく、第一のカム溝１２と第二のカム溝１４は異なる形状とすることもできる。即ち、カム溝又はカム面の一方のみに水平部を設けてもよい。
【００３２】
作用効果
第一のカム溝（カム面）と第二のカム溝（カム面）の少なくとも一方が、軸方向に略垂直な平面に沿って延在する複数の水平部と、前記複数の水平部間に位置して前記複数の水平部に対して窪んだ（水平部より溝深さの深い）複数の凹部とを備える。これにより、ボールの凹部への落込み深さを大きくすること無く、凹部のカム角（傾斜角）θを大きく取ることができ、カム推力を小さくできる。カム機構への入力トルクに対し、カム推力を小さくできるので、皿バネ荷重も小さくでき、皿バネを小型化できる。また、ボールの数を減らすこと、もしくは、ボール径を下げることができる。さらに、カム面のカム角θ、凹部の数に影響されること無く、水平部の長さを調整することにより、カム半径、ボール径の設計自由度が増える。
【００３３】
このような小型化可能なカム機構を有するトルクリミッタを前進／後進ワンウェイクラッチと電動モータとの間に設けることにより、トルクリミッタのトルク制限値が小さくても良くなるため、さらにトルクリミッタの小型化を進めることができる。
【００３４】
＜第１実施形態の変形例＞
図８において、第１実施形態の変形例を示す。図３において、皿バネ１７は、第二の回転部材１３と出力軸１９の袴部２０との間に介挿され、第二の回転部材１３をボール１５側に押しつける構成とした。しかし、トルクリミッタの構成を部材の配置を他のものにしてもよい。例えば、図８のように、第一の回転部材１１を入力軸２５と分離して設けて、皿バネ１７は、第一の回転部材１１と入力軸２５の袴部２６との間に介挿され、第一の回転部材１１をボール１５側に押しつける構成としてもよい。この変形例でも、第１実施形態の作用効果が得られる。
【００３５】
＜第２実施形態＞
図９を参照して、第２実施形態を説明する。なお以下では前述した内容と同様の機能を果たす部分には、同一の符号を付して重複する説明を適宜省略する。
【００３６】
第２実施形態では、カム溝又はカム面の凹部２２の数を、ボール１５の数より多くする。第１実施形態に対し、水平部２１の長さを短くし、水平部２１の間にカム溝を設ける。このカム溝形状にすることにより、ボール数に対し、凹部２２の数を多くできる。他の構成は、第１実施形態と同様である。
【００３７】
第２実施形態では、一ヶ所の凹部の使用頻度が減るので、カム溝の耐久性が向上する。これにより、第一と第二の回転部材１１、１３に強度、耐久性が低い（コストが安い）材料を使用できる。さらに、第一実施形態と同様に、カム溝に水平部を持つことで、カム角、凹部の数に影響されること無く、カム円周径、ボール径の設計自由度が増える。
【００３８】
＜第３実施形態＞
図１０を参照して、第３実施形態を説明する。なお以下では前述した内容と同様の機能を果たす部分には、同一の符号を付して重複する説明を適宜省略する。
【００３９】
第１実施形態では、カム溝の一部として溝状の水平部を設ける構成としたが、第３実施形態では、溝状の水平部でなく単なる水平面として水平部４１を設ける。第一の回転部材の水平な端面２８又は第二の回転部材の水平な端面２９の一部は、そのままカム面の水平部４１になっている。このように、第一の回転部材１１上でボール１５が通過する第一のカム面、及び、第二の回転部材１３上でボール１５が通過する第二のカム面は、水平部（水平面）４１と複数の凹部４２を備える。水平部（水平面）４１は、軸方向に略垂直な平面に沿って延在する。複数の凹部４２は、複数の水平部４１間に位置し、複数の水平部４１に対して窪んだ形状を取る。
【００４０】
なお、水平面４１上にボールが移動したときにボールが脱落するのを防止するため、図１１のようにトルクリミッタ１０のカム機構に、複数のボール１５を保持するリング状の保持器４３を適宜設けることが好ましい。
【００４１】
第３実施形態でも、第１実施形態と同様の作用効果が得られる。その他、カム面の水平部４１として、第一の回転部材の水平な端面２８又は第二の回転部材の水平な端面２９の一部をそのまま利用するため、カム面の形成が容易になる。
【００４２】
以上説明した実施形態に限定されることなく、その技術的思想の範囲内において種々の変形や変更が可能であり、それらも本発明の技術的範囲に含まれることが明白である。
【００４３】
例えば、カム機構に荷重を与える部品として皿バネ１７を例に挙げているが、コイルバネなど、荷重を与えられて軸方向にストロークできる部品（弾性体）を代わりに使用してもよい。また、実施形態では、駆動力伝達装置は、クラッチ機構としてワンウェイクラッチを有するが、ツーウェイクラッチなど他のクラッチを有しても良い。
【図面の簡単な説明】
【００４４】
【図１】駆動力伝達装置を搭載した車両の概略構成図である。
【図２】第１実施形態に係る駆動力伝達装置の断面側面図である。
【図３】第１実施形態に係るトルクリミッタの部分拡大図である。
【図４】第１実施形態に係る回転部材の概略端面図である。
【図５】第１実施形態に係るカム機構の円周方向断面図である。
【図６】従来のカム機構の円周方向断面図である。
【図７】トルクリミッタの作動条件を説明する図である。
【図８】第１実施形態の変形例に係るトルクリミッタの部分拡大図である。
【図９】第２実施形態に係るカム機構の円周方向断面図である。
【図１０】第３実施形態に係る回転部材の概略端面図である。
【図１１】第３実施形態に係るカム機構の円周方向断面図である。
【符号の説明】
【００４５】
１  駆動力伝達装置
１０  トルクリミッタ
１１  第一の回転部材
１２  第一のカム溝（第一のカム面）
１３  第二の回転部材
１４  第二のカム溝（第二のカム面）
１５  ボール
１７  バネ（皿バネ）
２１  水平部
２２  凹部
３１  前進ワンウェイクラッチ
３２  後退ワンウェイクラッチ
４１  水平部（水平面）
４２  凹部
【図１】
2010133501.tif 000003
【図２】
2010133501.tif 000004
【図３】
2010133501.tif 000005
【図４】
2010133501.tif 000006
【図５】
2010133501.tif 000007
【図６】
2010133501.tif 000008
【図７】
2010133501.tif 000009
【図８】
2010133501.tif 000010
【図９】
2010133501.tif 000011
【図１０】
2010133501.tif 000012
【図１１】
2010133501.tif 000013